(57)【要約】【課題】簡単な構成で敷居溝の幅寸法に厚さ寸法を合わせることができ、敷居溝の幅寸法に合わせた厚さ寸法をより確実に維持することができるエレベータの戸の脚を得る。【解決手段】エレベータの戸の脚６は、敷居溝４の幅方向について互いに対向する一対の挟み部材２１と、一対の挟み部材２１間に挟まれた平板状の厚さ調整用スペーサ２２と、各挟み部材２１及び厚さ調整用スペーサ２２を一体に固定する固定手段であるボルト２３及びナット２４とを有している。【選択図】図６
2013086900.tif 000002
【特許請求の範囲】
【請求項１】
出入口を開閉する引き戸の下端部に設けられ、上記出入口の下部に設けられた敷居溝に挿入されるエレベータの戸の脚であって、
上記敷居溝の幅方向について互いに対向する一対の挟み部材、
上記一対の挟み部材間に挟まれた平板状の厚さ調整用スペーサ、及び
各上記挟み部材及び上記厚さ調整用スペーサを一体に固定する固定手段
を備えているエレベータの戸の脚。
【請求項２】
上記固定手段は、ボルト及びナット、リベット、及びスポット溶接による溶接部のいずれかである請求項１に記載のエレベータの戸の脚。
【請求項３】
上記固定手段は、上記挟み部材及び上記厚さ調整用スペーサのいずれか一方に設けられた嵌合用穴と、上記挟み部材及び上記厚さ調整用スペーサのいずれか他方に設けられ上記嵌合用穴に嵌る突起と、上記スペーサの縁部から突出し、曲げられて上記厚さ調整用スペーサとの間で上記挟み部材を挟むことにより、上記挟み部材と上記厚さ調整用スペーサとが重なった状態を保持する耳部とを有している請求項１に記載のエレベータの戸の脚。
【請求項４】
上記挟み部材は、上記引き戸の下端部に固定される取付部材と、上記取付部材に設けられ、摺動材挿入溝が設けられた摺動材保持枠と、上記摺動材挿入溝の長さ方向に沿って上記摺動材挿入溝に挿入されることにより上記摺動材保持枠に保持される摺動材とを有している請求項１〜請求項３のいずれか一項に記載のエレベータの戸の脚。
【発明の詳細な説明】
【技術分野】
【０００１】
この発明は、エレベータの引き戸の下端部に設けられ、敷居溝に挿入されるエレベータの戸の脚に関するものである。
【背景技術】
【０００２】
従来、互いに重ねた複数枚の板を介して戸板の下端部に戸の脚が固定されたエレベータの引き戸が提案されている（例えば特許文献１参照）。
【０００３】
また、従来、戸の脚の厚さを調整可能とするために、２つの楔状部材を重ねて構成したスペーサを第１及び第２のガイド部材で挟み、第１及び第２のガイド部材とスペーサとをまとめて引き戸の下端部にボルトで締め付け固定したエレベータの戸の脚が提案されている。戸の脚の厚さは、一方の楔状部材を他方の楔状部材に対してずらすことにより調整可能になっている（例えば特許文献２参照）。
【０００４】
さらに、従来、戸の脚の摺動部自体を２つの楔状部材に分割し、一方の楔状部材を他方の楔状部材に対してずらすことにより摺動部の厚さを調整するようにしたエレベータの戸の脚も提案されている（例えば特許文献３参照）。
【先行技術文献】
【特許文献】
【０００５】
【特許文献１】特開２００４−１８２６２号公報
【特許文献２】特開２００４−２４４１５５号公報
【特許文献３】実開昭６１−１３５８６９号公報
【発明の概要】
【発明が解決しようとする課題】
【０００６】
ここで、戸の脚が挿入される敷居溝の幅寸法は、メーカや機種の違い等によってエレベータごとに異なる場合がある。また、エレベータのリフォームを行う場合には、かごや建物に固定された敷居は取り外さずに流用する場合がある。
【０００７】
特許文献１に示されたエレベータの戸の脚では、戸の脚の厚さを調整することができないので、エレベータのリフォーム等を行う場合、戸の脚の厚さを既存の敷居溝の幅寸法に合わせるために、戸の脚をエレベータごとに金型から製造しなければならない。従って、エレベータのリフォームに手間がかかるとともに、エレベータのリフォームのためのコストが増大してしまう。
【０００８】
また、特許文献２及び３に示されたエレベータの戸の脚では、２つの楔状部材がボルトの締め付けにより組み合わされているので、構造が複雑になってしまう。また、２つの楔状部材同士の接触面が、楔状部材を締め付けるボルトに対して傾斜しているので、引き戸の開閉動作を行っていると、楔状部材の傾斜面同士がずれてボルトの締め付けが緩んでしまうおそれもある。
【０００９】
この発明は、上記のような課題を解決するためになされたものであり、簡単な構成で敷居溝の幅寸法に厚さ寸法を合わせることができ、敷居溝の幅寸法に合わせた厚さ寸法をより確実に維持することができるエレベータの戸の脚を得ることを目的とする。
【課題を解決するための手段】
【００１０】
この発明に係るエレベータの戸の脚は、出入口を開閉する引き戸の下端部に設けられ、出入口の下部に設けられた敷居溝に挿入されるエレベータの戸の脚であって、敷居溝の幅方向について互いに対向する一対の挟み部材、一対の挟み部材間に挟まれた平板状の厚さ調整用スペーサ、及び各挟み部材及び厚さ調整用スペーサを一体に固定する固定手段を備えている。
【発明の効果】
【００１１】
この発明に係るエレベータの戸の脚によれば、簡単な構成で敷居溝の幅寸法に厚さ寸法を合わせることができ、敷居溝の幅寸法に合わせた厚さ寸法をより確実に維持することができる。
【図面の簡単な説明】
【００１２】
【図１】この発明の実施の形態１によるエレベータのドア装置を示す正面図である。
【図２】図１の引き戸の下端部を示す拡大図である。
【図３】図２のIII-III線に沿った断面図である。
【図４】図３の位置調整用スペーサを示す斜視図である。
【図５】図２の戸の脚を示す斜視図である。
【図６】図５の戸の脚を示す分解斜視図である。
【図７】この発明の実施の形態２によるエレベータの戸の脚を示す側面図である。
【図８】図７のブラインドリベットによって各挟み部材及び厚さ調整用スペーサを一体に固定するときの状態を示す拡大図である。
【図９】この発明の実施の形態３によるエレベータの戸の脚を示す斜視図である。
【図１０】図９の各挟み部材及び厚さ調整用スペーサを一体化するときの状態を示す側面図である。
【図１１】この発明の実施の形態４によるエレベータの戸の脚を示す斜視図である。
【図１２】図１１の厚さ調整用スペーサを示す斜視図である。
【図１３】図１１のXIII-XIII線に沿った断面図である。
【図１４】この発明の実施の形態５によるエレベータの戸の脚を示す斜視図である。
【図１５】図１４の戸の脚を示す分解斜視図である。
【図１６】図１５のXVI-XVI線に沿った断面図である。
【発明を実施するための形態】
【００１３】
実施の形態１．
図１は、この発明の実施の形態１によるエレベータのドア装置を示す正面図である。図において、エレベータの乗場に設けられた出入口（乗場出入口）１の上部には、出入口１の間口方向（幅方向）に沿って配置されたドアレール２が設けられている。出入口１の下部には、出入口１の間口方向に沿って配置された敷居（乗場敷居）３が固定されている。敷居３の上面には、敷居溝４が敷居３の長さ方向（即ち、出入口１の間口方向）に沿って設けられている。
【００１４】
ドアレール２には、一対の引き戸（乗場の戸）５（図１では、一方の引き戸５のみを示している）が掛けられている。引き戸５の下端部には、敷居溝４に挿入される一対の戸の脚６が設けられている。各引き戸５は、ドアレール２及び敷居溝４に案内されながら、出入口１の間口方向へ移動可能になっている。出入口１は、引き戸５が出入口１の間口方向へ移動されることにより開閉される。
【００１５】
引き戸５は、ドアパネル７と、ドアパネル７の上端部に設けられたドアハンガ８とを有している。ドアハンガ８は、ドアパネル７に固定されたハンガ板９と、ハンガ板９に設けられ、ドアレール２に転動可能に載せられた複数（この例では、２つ）のハンガローラ１０とを有している。引き戸５は、各ハンガローラ１０をドアレール２上で転動させながら、ドアレール２に沿って移動される。
【００１６】
ドアパネル７の下端部に固定された下枠１１には、引き戸５の幅方向について互いに離して配置された複数（この例では、２つ）の取付座１２が固定されている。戸の脚６は、各取付座１２に個別に取り付けられている。
【００１７】
図２は、図１の引き戸５の下端部を示す拡大図である。また、図３は、図２のIII-III線に沿った断面図である。図において、戸の脚６は、複数（この例では、２つ）の取付用ボルト１３により取付座１２に取り付けられている。戸の脚６が取付座１２に取り付けられている状態では、戸の脚６の長さ方向が敷居溝４の長さ方向と一致し、戸の脚６の厚さ方向が敷居溝４の幅方向に一致している。戸の脚６と取付座１２との間には、図３に示すように、板状の位置調整用スペーサ１４が介在している。
【００１８】
ここで、図４は、図３の位置調整用スペーサ１４を示す斜視図である。位置調整用スペーサ１４には、一端部が開放された複数（この例では、２つ）の開放長穴１５がそれぞれ平行に設けられている。開放長穴１５には、取付用ボルト１３がそれぞれ通される。これにより、位置調整用スペーサ１４は、戸の脚６が取付座１２に各取付用ボルト１３により取り付けられている状態で、戸の脚６と取付座１２との間に挿入可能になる。戸の脚６と取付座１２との間に挿入される位置調整用スペーサ１４の枚数や厚さを調整することにより、敷居溝４に対する戸の脚６の位置が敷居溝４の幅方向について調整される。
【００１９】
図５は、図２の戸の脚６を示す斜視図である。また、図６は、図５の戸の脚６を示す分解斜視図である。図において、戸の脚６は、戸の脚６の厚さ方向について互いに対向する一対の挟み部材２１と、一対の挟み部材２１間に挟まれた平板状の厚さ調整用スペーサ２２と、各挟み部材２１及び厚さ調整用スペーサ２２を一体に固定する固定手段であるボルト２３及びナット２４とを有している。
【００２０】
各挟み部材２１は、所定の形状に成形された金属製の挟み部材本体２５と、挟み部材本体２５の外面の一部を覆って設けられた樹脂製の摺動材２６とを有している。
【００２１】
挟み部材本体２５は、戸の脚６の厚さ方向に対して垂直に配置される取付板部２５ａと、取付板部２５ａの下端部に設けられ、戸の脚６の長さ方向について取付板部２５ａの寸法よりも長い寸法を持つ長板部２５ｂとを有している。長板部２５ｂの厚さ寸法は、取付板部２５ａの厚さ寸法よりも大きくなっている。摺動材２６は、長板部２５ｂの外面にのみ設けられている。敷居溝４には、厚さ調整用スペーサ２２の下端部、長板部２５ｂ及び摺動材２６が挿入される。
【００２２】
厚さ調整用スペーサ２２は、長板部２５ｂの一部及び取付板部２５ａに重なっている。また、厚さ調整用スペーサ２２は、両面が互いに平行な平板とされている。戸の脚６の下端部（敷居溝４に挿入される部分）の厚さ寸法ｔ（図３）は、厚さ調整用スペーサ２２の厚さ寸法の調整により調整される。厚さ調整用スペーサ２２の厚さ寸法は、戸の脚６の下端部の厚さ寸法ｔが敷居溝４の幅寸法ｗよりも所定の寸法だけ小さくなるように設定されている。即ち、厚さ調整用スペーサ２２の厚さ寸法は、敷居溝４の幅寸法ｗ（図３）に基づいて設定されている。
【００２３】
戸の脚６には、図６に示すように、各取付板部２５ａ及び厚さ調整用スペーサ２２を貫通する複数（この例では、２つ）の第１の通し穴２７及び複数（この例では、２つ）の第２の通し穴２８が設けられている。第１の通し穴２７は戸の脚６の中間部に設けられ、第２の通し穴２８は戸の脚６の上部に設けられている。
【００２４】
第１の通し穴２７は、丸穴とされている。各挟み部材２１及び厚さ調整用スペーサ２２は、第１の通し穴２７に通されたボルト２３と、ボルト２３に螺合されたナット２４との間で締め付けられることにより、一体に固定されている。
【００２５】
第２の通し穴２８は、戸の脚６の長さ方向に沿った長穴とされている。戸の脚６は、第２の通し穴２８に通された取付用ボルト１３により取付座１２に取り付けられる。引き戸５に対する戸の脚６の位置は、第２の通し穴２８内で取付用ボルト１３の位置を調整することにより敷居溝４の長さ方向へ調整される。
【００２６】
例えばエレベータのリフォーム等を行う場合には、既設の敷居３や引き戸５をそのまま利用することがある。しかし、この場合、摩耗した既設の戸の脚については、そのまま利用することができず、新たな戸の脚６に交換することになる。
【００２７】
次に、既設の戸の脚を新たな戸の脚６に交換するときの手順について説明する。まず、既設の敷居３の敷居溝４の幅寸法ｗを測定し、敷居溝４の幅寸法ｗに対応する戸の脚６を必要個数分だけ工場であらかじめ作製しておく。
【００２８】
戸の脚６は、既存の敷居溝４の幅寸法ｗに基づいて決定した厚さ寸法を持つ厚さ調整用スペーサ２２を一対の挟み部材２１間に挟んだ後、図６に示すように、第１の通し穴２７に通したボルト２３にナット２４を螺合し、ボルト２３とナット２４とを締め付けて各挟み部材２１及び厚さ調整用スペーサ２２を一体に固定することにより作製する。戸の脚６の下端部の厚さ寸法ｔは、厚さ調整用スペーサ２２の厚さ寸法を敷居溝４の幅寸法ｗに基づいて決定することにより、敷居溝４の幅寸法ｗに対応する寸法になる。
【００２９】
この後、工場で作製した必要個数分の戸の脚６を現地へ運搬するとともに、現地では、摩耗した既設の戸の脚を各階の引き戸５から取り外しておく。
【００３０】
この後、新たな戸の脚６を各階の引き戸５の下端部にすべて取り付ける。これにより、戸の脚６の下端部の厚さ寸法ｔを現地で調整する作業をなくすことができ、引き戸５に対する戸の脚６の取り付け作業を容易に行うことができる。
【００３１】
引き戸５に対する戸の脚６の取り付けは、第２の通し穴２８に通された取付用ボルト１３を取付座１２のねじ穴に螺合することにより行う。このとき、戸の脚６と取付座１２との間に挿入される位置調整用スペーサ１４の厚さや枚数を調整することにより、敷居溝４に対する戸の脚６の位置を敷居溝４の幅方向について調整する。このようにして、既設の戸の脚を新たな戸の脚６に交換する。
【００３２】
このようなエレベータの戸の脚６では、平板状の厚さ調整用スペーサ２２が一対の挟み部材２１間に挟まれているので、厚さ調整用スペーサ２２を取り替えながら厚さ調整用スペーサ２２の厚さ寸法を調整することにより、戸の脚６の厚さ寸法ｔを容易に調整することができる。これにより、簡単な構成で敷居溝４の幅寸法ｗに戸の脚６の厚さ寸法ｔを合わせることができる。また、厚さ調整用スペーサ２２の形状が平板状になっているので、一対の挟み部材２１間に厚さ調整用スペーサ２２を挟んで締め付けても、戸の脚６の厚さ寸法ｔを変化しにくくすることができ、敷居溝４の幅寸法ｗに合わせた戸の脚６の厚さ寸法ｔをより確実に維持することができる。
【００３３】
実施の形態２．
実施の形態１では、各挟み部材２１及び厚さ調整用スペーサ２２を一体に固定する固定手段としてボルト２３及びナット２４が用いられているが、リベットを固定手段として用いてもよい。
【００３４】
即ち、図７は、この発明の実施の形態２によるエレベータの戸の脚６を示す側面図である。図において、各挟み部材２１及び厚さ調整用スペーサ２２は、第１の通し穴２７に通された固定手段であるブラインドリベット（ポップリベット）３１により一体に固定されている。
【００３５】
図８は、図７のブラインドリベット３１によって各挟み部材２１及び厚さ調整用スペーサ２２を一体に固定するときの状態を示す拡大図である。図８に示すように、ブラインドリベット３１は、フランジ付筒状部３２と、フランジ付筒状部３２の一端部からフランジ付筒状部３２内及びフランジ付筒状部３２の他端部を通って外部に突出するマンドレル３３とを有している。
【００３６】
ブラインドリベット３１は、フランジ付筒状部３２を第１の通し穴２８に挿入した状態で、リベット工具３４によりマンドレル３３を強く引いて、フランジ付筒状部３２の一端部を塑性変形させるとともに、マンドレル３３の一部を切り離すことにより、各挟み部材２１及び厚さ調整用スペーサ２２を一体に固定する。他の構成は実施の形態１と同様である。
【００３７】
このようなエレベータの戸の脚６では、各挟み部材２１及び厚さ調整用スペーサ２２がブラインドリベット３１により一体に固定されているので、ボルト及びナットの締め付けに比べて各挟み部材２１及び厚さ調整用スペーサ２２間の結合の緩みを少なくすることができ、各挟み部材２１及び厚さ調整用スペーサ２２をより確実に一体化することができる。
【００３８】
なお、上記の例では、各挟み部材２１及び厚さ調整用スペーサ２２を一体に固定する固定手段としてブラインドリベット３１が用いられているが、軸部と軸部よりも大径の頭部とを有する通常のリベットを固定手段としてもよい。この場合、第１の通し穴２７に通されたリベットの軸部の端部を潰すことにより、各挟み部材２１及び厚さ調整用スペーサ２２が一体に固定される。
【００３９】
実施の形態３．
各挟み部材２１及び厚さ調整用スペーサ２２を一体に固定する固定手段としてスポット溶接を用いてもよい。
【００４０】
即ち、図９は、この発明の実施の形態３によるエレベータの戸の脚６を示す斜視図である。図において、各挟み部材２１及び厚さ調整用スペーサ２２に、第１の通し穴２７は設けられていない。また、取付板部２５ａ及び厚さ調整用スペーサ２２には、スポット溶接による複数（この例では、２つ）の溶接部４１が形成されている。各挟み部材２１及び厚さ調整用スペーサ２２は、スポット溶接による溶接部４１により一体に固定されている。
【００４１】
図１０は、図９の各挟み部材２１及び厚さ調整用スペーサ２２を一体化するときの状態を示す側面図である。図１０に示すように、各挟み部材２１及び厚さ調整用スペーサ２２に対するスポット溶接は、スポット溶接機４２の一対の電極４２ａ，４２ｂ間に一方の挟み部材２１、厚さ調整用スペーサ２２及び他方の挟み部材２１を順次重ねた状態で行われる。他の構成は実施の形態１と同様である。
【００４２】
このようなエレベータの戸の脚６では、各挟み部材２１及び厚さ調整用スペーサ２２がスポット溶接により一体化されているので、各挟み部材２１及び厚さ調整用スペーサ２２の結合が緩むことがなく、各挟み部材２１及び厚さ調整用スペーサ２２をより確実に一体化することができる。
【００４３】
なお、取付板部２５ａ及び厚さ調整用スペーサ２２をめっき鋼板とすれば、スポット溶接による溶接部４１以外の箇所だけでなく溶接部４１においても腐食しにくくすることができる。従って、溶接部４１の補修塗装を行う必要がなく、戸の脚６の作製作業の省力化を図ることができ、戸の脚６の作製コストの低減化を図ることができる。
【００４４】
実施の形態４．
図１１は、この発明の実施の形態４によるエレベータの戸の脚６を示す斜視図である。また、図１２は、図１１の厚さ調整用スペーサ２２を示す斜視図である。さらに、図１３は、図１１のXIII-XIII線に沿った断面図である。図において、各挟み部材２１の取付板部２５ａには、第１の通し穴２７の代わりに、複数（この例では、４つ）の嵌合用穴５１が戸の脚６の長さ方向へ互いに離して設けられている。
【００４５】
厚さ調整用スペーサ２２には、一方の挟み部材２１側へ突出する複数（この例では、２つ）の第１の突起５２と、他方の挟み部材２１側へ突出する複数（この例では、２つ）の第２の突起５３とが設けられている。また、厚さ調整用スペーサ２２には、厚さ調整用スペーサ２２の長さ方向両縁部から一方の挟み部材２１側へ突出する一対の第１の耳部５４と、厚さ調整用スペーサ２２の長さ方向両縁部から他方の挟み部材２１側へ突出する一対の第２の耳部５５とが設けられている。
【００４６】
厚さ調整用スペーサ２２が一対の挟み部材２１間に重なって挟まれている状態では、各第１の突起５２が一方の挟み部材２１の嵌合用穴５１に嵌り、各第２の突起５３が他方の挟み部材２１の嵌合用穴５１に嵌っている。これにより、厚さ調整用スペーサ２２に対する各挟み部材２１の位置決めが行われている。
【００４７】
各第１の耳部５４は、一方の挟み部材２１と厚さ調整用スペーサ２２とが重なった状態で一方の挟み部材２１を両側で巻き込むようにプレスにより曲げられている。これにより、一方の挟み部材２１の縁部が第１の耳部５４と厚さ調整用スペーサ２２との間に挟まれ、一方の挟み部材２１と厚さ調整用スペーサ２２とが重なった状態が保持されている。各第２の耳部５５は、他方の挟み部材２１と厚さ調整用スペーサ２２とが重なった状態で他方の挟み部材２１を両側で巻き込むようにプレスにより曲げられている。これにより、他方の挟み部材２１の縁部が第２の耳部５５と厚さ調整用スペーサ２２との間に挟まれ、他方の挟み部材２１と厚さ調整用スペーサ２２とが重なった状態が保持されている。
【００４８】
各挟み部材２１及び厚さ調整用スペーサ２２は、第１及び第２の突起５２，５３と嵌合用穴５１との嵌め合いと、第１及び第２の耳部５４，５５のプレスによる曲げとを併用することにより、一体に固定されている。即ち、各挟み部材２１及び厚さ調整用スペーサ２２を一体に固定する固定手段は、嵌合用穴５１と、第１及び第２の突起５２，５３と、第１及び第２の耳部５４，５５とを有している。他の構成は実施の形態１と同様である。
【００４９】
このようなエレベータの戸の脚６では、第１及び第２の突起５２，５３と嵌合用穴５１との嵌め合いと、第１及び第２の耳部５４，５５のプレスによる曲げとを併用することにより、各挟み部材２１及び厚さ調整用スペーサ２２が一体に固定されているので、各挟み部材２１及び厚さ調整用スペーサ２２をより確実に一体化することができる。
【００５０】
なお、上記の例では、第１及び第２の突起５２，５３が厚さ調整用スペーサ２２に設けられ、嵌合用穴５１が各挟み部材２１に設けられているが、嵌合用穴５１を厚さ調整用スペーサ２２に設けるとともに、第１の突起５２を一方の挟み部材２１に設け、第２の突起５３を他方の挟み部材２１に設けてもよい。
【００５１】
実施の形態５．
図１４は、この発明の実施の形態５によるエレベータの戸の脚６を示す斜視図である。図１５は図１４の戸の脚６を示す分解斜視図、図１６は図１５のXVI-XVI線に沿った断面図である。図において、挟み部材本体２５は、取付板（取付部材）６１と、戸の脚６の厚さ方向に対して垂直に配置される取付板６１の下端部の外面に設けられ、戸の脚６の長さ方向へ延びる摺動材保持枠６２とを有している。
【００５２】
取付板６１には、実施の形態１と同様の第１の通し穴２７及び第２の通し穴２８が設けられている。
【００５３】
摺動材保持枠６２は、帯状の板材の幅方向両縁部をそれぞれ内側に曲げて成形されている。これにより、摺動材保持枠６２には、摺動材保持枠６２の長さ方向に沿った摺動材挿入溝６３が設けられている。摺動材挿入溝６３の幅寸法は、図１６に示すように、摺動材挿入溝６３の深さ方向について底部から開放部に向かって連続的に小さくなっている。一対の挟み部材２１におけるそれぞれの摺動材保持枠６２は、摺動材保持枠６２の長さ方向端部に近づくに従って各摺動材保持枠６２間の距離が緩やかに小さくなるように曲げられている。
【００５４】
樹脂製の摺動材２６は、摺動材挿入溝６３の端部から摺動材保持枠６２の長さ方向に沿って摺動材挿入溝６３に挿入されることにより、摺動材保持枠６２に保持されている。戸の脚６が敷居溝４に挿入されている状態では、摺動材２６の一部が摺動材保持枠６２から戸の脚６の厚さ方向外側へはみ出しており、摺動材２６の摺動材保持枠６２からはみ出した部分が敷居溝４の側面に対向している。
【００５５】
また、摺動材２６は、摺動材挿入溝６３に挿入されている状態で止めねじ６４で取付板６１に止められている。摺動材２６には、止めねじ６４が通されるねじ通し穴６５が設けられている。摺動材保持枠６２にも、止めねじ６４が通されるねじ通し穴が設けられている。取付板６１には、止めねじ６４が螺合されるねじ穴６６が設けられている。摺動材２６は、摺動材２６のねじ通し穴６５及び摺動材保持枠６２のねじ通し穴の順に通された止めねじ６４が取付板６１のねじ穴６６に螺合されることにより、取付板６１に止められる。
【００５６】
摺動材２６は、摺動材挿入具７１を用いて、摺動材挿入溝６３の端部から摺動材挿入溝６３に挿入される。摺動材挿入具７１は、図１５に示すように、摺動材２６を収容する収容筒７２と、収容筒７２内から摺動材２６を押し出す押出具７３とを有している。
【００５７】
収容筒７２の長さ寸法は、摺動材２６の長さ寸法よりも短くなっている。これにより、摺動材２６が収容筒７２に収容されている状態では、摺動材２６の一部が収容筒７２の端部から突出している。
【００５８】
押出具７３は、収容筒７２が挿入される凹部７４が設けられた押出具本体７３ａと、凹部７４内で凹部７４の深さ方向に沿って設けられ、収容筒７２内に挿入可能な棒状部７３ｂとを有している。
【００５９】
凹部７４の内面と棒状部７３ｂとの間の隙間には、収容筒７２内に棒状部７３ｂを挿入するときの押圧力に逆らう弾性復元力を発生するばね（弾性体）７５が配置されている。
【００６０】
次に、摺動材挿入具７１を用いて摺動材２６を摺動材保持枠６２に装着するときの手順について説明する。摺動材２６は、収容筒７２の端部から一部を出した状態であらかじめ収容筒７２内に収容しておく。
【００６１】
摺動材２６を摺動材挿入溝６３に挿入するときには、まず、収容筒７２内からの摺動材２６の突出部分を摺動材挿入溝６３の端部から挿入し、収容筒７２を摺動材保持枠６２に当てる。
【００６２】
この後、収容筒７２を摺動材保持枠６２に当てたまま、棒状部７３ｂを収容筒７２内に挿入し、押出具７３を押して、摺動材２６を収容筒７２内から押し出す。これにより、摺動材２６が摺動材挿入溝６３に挿入される。このとき、ばね７５は、収容筒７２に押されて縮むことにより、収容筒７２を摺動材保持枠６２に押し当てる方向へ弾性復元力を発生する。これにより、収容筒７２内から摺動材２６を押し出す作業が容易になる。
【００６３】
摺動材２６を摺動材挿入溝６３に挿入した後、止めねじ６４で摺動材２６を取付板６１に止める。このようにして、摺動材２６が摺動材保持枠６２に装着される。
【００６４】
このようなエレベータの戸の脚６では、摺動材保持枠６２に設けられた摺動材挿入溝６３に摺動材２６が摺動材挿入溝６３の長さ方向に沿って挿入されることにより、摺動材２６が摺動材保持枠６２に保持されるようになっているので、摺動材保持枠６２に対する摺動材２６の着脱を容易にすることができる。これにより、引き戸５の開閉動作によって摩耗した摺動材を新たな摺動材２６に容易に交換することができる。また、挟み部材本体２５を残したまま摺動材２６のみを交換することができるので、戸の脚６の全体を交換する必要がなくなり、交換により生じる廃棄物量を減らすことができる。
【００６５】
なお、上記の例では、各挟み部材２１及び厚さ調整用スペーサ２２を一体に固定する固定手段として、実施の形態１と同様の固定手段（ボルト２３及びナット２４）が適用されているが、実施の形態２〜４と同様の固定手段を適用してもよい。
【００６６】
また、各上記実施の形態では、一枚の厚さ調整用スペーサ２２が一対の挟み部材２１間に挟まれているが、互いに重ねた複数枚の厚さ調整用スペーサ２２を一対の挟み部材２１間に挟むようにしてもよい。
【００６７】
また、各上記実施の形態では、各階の乗場に設けられた出入口（乗場出入口）１を開閉する引き戸５に取り付けられる戸の脚６にこの発明が適用されているが、かごに設けられた出入口（かご出入口）を開閉する引き戸に取り付けられる戸の脚にこの発明を適用してもよい。
【符号の説明】
【００６８】
１  出入口、４  敷居溝、５  引き戸、６  戸の脚、２１  挟み部材、２２  厚さ調整用スペーサ、２３  ボルト（固定手段）、２４  ナット（固定手段）、３１  ブラインドリベット、４１  溶接部、５１  嵌合用穴、５２  第１の突起、５３  第２の突起、５４  第１の耳部、５５  第２の耳部、６１  取付板（取付部材）、６２  摺動材保持枠、６３  摺動材挿入溝。
【図１】
2013086900.tif 000003
【図２】
2013086900.tif 000004
【図３】
2013086900.tif 000005
【図４】
2013086900.tif 000006
【図５】
2013086900.tif 000007
【図６】
2013086900.tif 000008
【図７】
2013086900.tif 000009
【図８】
2013086900.tif 000010
【図９】
2013086900.tif 000011
【図１０】
2013086900.tif 000012
【図１１】
2013086900.tif 000013
【図１２】
2013086900.tif 000014
【図１３】
2013086900.tif 000015
【図１４】
2013086900.tif 000016
【図１５】
2013086900.tif 000017
【図１６】
2013086900.tif 000018